(57)【要約】【課題】構造が単純で、安価なものとし、しかも利用者が股関節を開脚できる度合いに応じて、開脚ストレッチ運動ができるようにすること。【解決手段】アジャスター５を介して前ベルト６と後ベルト４とを連結させた状態で、ストレッチを行なおうとする者は、先ず座板１上に腰掛ける。そして、この座板１上に腰掛けた状態で脚を折り曲げ、この折り曲げて外方に向けられた脚を膝から外方に向けて前ベルト６、後ベルト４及び座板１で形成された輪の中に挿入する。そして、この挿入した状態で、利用者は各アジャスター５及び前ベルト６を操作して徐々に前記輪が小さくなるように調節しながら、挿入状態を保持しつつ両股関節を拡開するようにしてストレッチする。やがて、適宜な開脚角度となるような位置でアジャスター５及び前ベルト６の調節を中止し、両股関節が適宜な角度に開脚した状態を保持する。【選択図】図２
2007283018.tif 000002
【特許請求の範囲】
【請求項１】
股関節のストレッチを行なう者が腰掛けるための座板と、この座板上に腰掛けた状態で折り曲げられてそれぞれ外方に向けられた脚が膝から外方に向けて挿入された状態を保持して両股関節を拡開するようにしてストレッチするための少なくとも一対の保持具とを設けたことを特徴とする股関節のストレッチ器具。
【請求項２】
前記保持具は、膝から外方に向けて挿入された状態の脚を前記座板に押し付けるように締め付けるベルトで構成したことを特徴とする請求項１に記載の股関節のストレッチ器具。
【請求項３】
前記保持具を構成する前記ベルトの途中に調節部材を設けて、両股関節の開脚角度に応じて前記ベルトの長さを調節可能としたことを特徴とする請求項２に記載の股関節のストレッチ器具。
【発明の詳細な説明】
【技術分野】
【０００１】
この発明は、股関節のストレッチ器具に関するものである。
【背景技術】
【０００２】
従来、この種の股関節のストレッチ器具は、例えば左右の膝の間に一対の開脚レバーを挟むようにして座板に腰掛け、開き難い開脚方向へは開脚レバーの付勢力を借りて股関節を伸ばし、閉じやすい閉脚方向へは開脚レバーの付勢力に抗して股関節を収縮する開閉運動ができる技術が知られている（特許文献１参照）。
【特許文献１】特開２００５−２１１３２７号公報
【発明の開示】
【発明が解決しようとする課題】
【０００３】
しかしながら、前記開脚レバーは脚の長さに応じて長さを調節するために伸縮可能な二重角パイプで形成したり、開脚レバーの回転軸には互いにかみ合うギアを設けて左右等角的に開閉可能に構成したり、中立位置より狭い角度範囲では各開脚レバーを閉脚方向に付勢すると共に中立位置より広い角度範囲では各開脚レバーを開脚方向に付勢するスプリングを設ける必要があり、極めて構造が複雑であり、高価なものとなっている。また、この従来技術によれば、座った状態で膝を床方向にストレッチするものではないので、前屈姿勢をとるための柔軟さを養う訓練とはならない。
【０００４】
そこで本発明は、上記したような問題を解消するためになされたもので、構造が単純で、安価なものとし、しかも利用者が股関節を開脚できる度合いに応じて、前屈姿勢をし易くするための訓練にもなる開脚ストレッチ運動ができるようにすることを目的とする。
【課題を解決するための手段】
【０００５】
このために第１の股関節のストレッチ器具に係る発明は、股関節のストレッチを行なう者が腰掛けるための座板と、この座板上に腰掛けた状態で折り曲げられてそれぞれ外方に向けられた脚が膝から外方に向けて挿入された状態を保持して両股関節を拡開するようにしてストレッチするための少なくとも一対の保持具とを設けたことを特徴とする。
【０００６】
第２の発明は，第１の股関節のストレッチ器具に係る発明において、前記保持具は、膝から外方に向けて挿入された状態の脚を前記座板に押し付けるように締め付けるベルトで構成したことを特徴とする。
【０００７】
第３の発明は，第２の股関節のストレッチ器具に係る発明において、前記保持具を構成する前記ベルトの途中に調節部材を設けて、両股関節の開脚角度に応じて前記ベルトの長さを調節可能としたことを特徴とする。
【発明の効果】
【０００８】
本発明は、構造が単純で、安価なもので実用的であり、しかも利用者が股関節を開脚できる度合いに応じて、前屈姿勢をし易くするための訓練にもなる開脚ストレッチ運動ができるようにすることができるから使い勝手が良い。
【発明を実施するための最良の形態】
【０００９】
以下、この発明の実施形態を図に基づき説明する。図１において、１は平面視四角形状を呈した平板状の例えば木製や合成樹脂製の座板で、利用者の股関節のストレッチを行なう者が腰掛けるためのものである。この座板１にはストレッチするための少なくとも一対の保持具２を取付けるための４つの角孔３が開設される。
【００１０】
この保持具２は、前記座板１上に利用者が腰掛けた状態で折り曲げられてそれぞれ外方に向けられた脚が膝から外方に向けて挿入された状態を保持して両股関節を拡開するようにしてストレッチするためのもので、利用者が股関節を開脚できる度合いに応じて、前屈姿勢をし易くするための訓練にもなる開脚のストレッチができる。
【００１１】
即ち、この保持具２はそれぞれ例えば合成樹脂製の後ベルト４と、例えば金属製のアジャスター５と、例えば合成樹脂製の前ベルト６とから構成され、図３に示すように、後ベルト４の前端はアジャスター５の中仕切５Ａを包むように折り返した先端を後ベルト４に固定することによりこの中仕切５Ａに連結固定し、前記座板１の角孔３を貫通したこの後ベルト４の後端には抜止部（図示せず）が形成されて後ベルト４の後端は角孔３から抜け出ないように防止される。また、前記座板１の角孔３を貫通した前ベルト６の前端には抜止部（図示せず）が形成されて前ベルト６の前端は角孔３から抜け出ないように防止され、この前ベルト６の後部は前記アジャスター５に挿入されて連結（接続）されて、このアジャスター５を介して前ベルト６及び後ベルト４は長さが伸縮可能に調節される状態で連結される（図１、図２参照）。
【００１２】
なお、後ベルト４の後端及び前ベルト６の前端に前記角孔３より大きな抜止部を形成して、それぞれ角孔３から抜けないようにしたが、これに限らず、後ベルト４の後端及び前ベルト６の前端を座板１に連結する構造にすれば足り、例えば座板１に着脱可能に又は非着脱可能に固定してもよい。
【００１３】
以上のように、アジャスター５を介して前ベルト６と後ベルト４とを連結させた状態で、ストレッチを行なおうとする者は、先ず前記座板１上に腰掛ける。そして、この座板１上に腰掛けた状態で脚を折り曲げ、この折り曲げて外方に向けられた脚を膝から内方から外方に向けて前ベルト６、後ベルト４及び座板１で形成された輪の中に挿入する。
【００１４】
そして、この挿入した状態で、利用者は各アジャスター５及び前ベルト６を操作して徐々に前記輪が小さくなるように調節しながら、挿入状態を保持しつつ両股関節を拡開するようにしてストレッチする。やがて、適宜な開脚角度となるような位置でアジャスター５及び前ベルト６の調節を中止し、両股関節が適宜な角度に開脚した状態を保持する。即ち、座った状態で両股関節を開脚して、両脚を座板１に押し付けるように、言い換えると、膝を床方向にストレッチするように締め付けた状態を保持して両股関節を拡開するようにしてストレッチする。
【００１５】
そして、利用者はこのストレッチを適当な時間継続した後、各アジャスター５及び前ベルト６を調節して前記輪を大きくして、脚をこの輪から抜いて、ストレッチを止めることができる。また、ストレッチを行なう場合には、前述したような動作を行うが、利用の頻度に応じて股関節が徐々に広く開脚できるようになったら、アジャスター５及び前ベルト６の調節による前記輪を更に前回のときより小さくすることにより、両股関節を更に広げた角度での開脚状態を保持してストレッチができる。
【００１６】
従って、利用者が股関節を開脚できる度合いに応じて、前屈姿勢をし易くするための訓練にもなる開脚ストレッチ運動ができるようにすることができて便宜であり使い勝手が良く、構造が単純で、安価なものであって実用的である。
【００１７】
なお、前ベルト６、後ベルト４及び座板１で形成された輪の中に脚を挿入する構成にして、後ベルト４の前端をアジャスター５の中仕切５Ａに固定して、前ベルト６及びアジャスター５でこの輪の大きさを調節するようにしたが、これに限らず、前ベルト６の後端をアジャスター５の中仕切５Ａに固定して前ベルト６及びアジャスター５でこの輪の大きさを調節するようにしたり、通常のズボンに使用するベルトの長さ調節をする構造のものや、その他種々の輪の大きさを調整できる構造・方法を用いてもよい。更には、前ベルトや後ベルトに代えて、ひも状のもの（例えば、ひも）、帯状のもの（例えば、帯状体）、その他フレキブルなものを使用してもよい。
【００１８】
以上本発明の実施形態について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００１９】
【図１】股関節のストレッチ器具の斜視図である。
【図２】利用者が股関節のストレッチ器具を利用している状態の斜視図である。
【図３】保持具の部分破断面図である。
【符号の説明】
【００２０】
１                座板
２                保持具
４                後ベルト
５                アジャスター
６                前ベルト
【図１】
2007283018.tif 000003
【図２】
2007283018.tif 000004
【図３】
2007283018.tif 000005